(57)【要約】【課題】一回の操作で、あらかじめ設定されたメニューを優先して再生することができ、操作性の向上を図ることのできる情報再生装置を提供する。【解決手段】ビデオマネージャメニューの有無情報およびビデオタイトルセットメニューの有無情報が記録された情報記録媒体から記録情報を再生する方法において、外部操作装置のＡＵＴＯ  ＭＥＮＵボタンが操作されると、ビデオマネージャメニューの有無情報（ＶＭＧＭ＿ＥＸＳＴ）１０１およびビデオタイトルセットメニューの有無情報（ＶＴＳＭ＿ＥＸＳＴ）１０２をそれぞれ検出し、情報記録媒体に記録されていることが検出されたメニューの中で予め決められたメニューを優先して再生する。【選択図】図７
2005317135.tif 000002
【特許請求の範囲】
【請求項１】
ビデオマネージャメニューの有無情報およびビデオタイトルセットメニューの有無情報が記録された情報記録媒体から記録情報を再生する情報再生装置において、
前記ビデオマネージャメニューまたは前記ビデオタイトルセットメニューを呼び出すための共通の指令を入力させる指令入力部と、
前記ビデオマネージャメニューの有無情報およびビデオタイトルセットメニューの有無情報をそれぞれ検出する検出部と、
前記指令入力部より前記指令が入力されたとき、前記検出部によって前記情報記録媒体に記録されていることが検出された前記各メニューの中で予め決められたメニューを優先して再生するメニュー再生部と
を具備することを特徴とする情報再生装置。
【請求項２】
前記ビデオマネージャメニューおよび前記ビデオタイトルセットメニューのうち優先して再生すべきメニューを設定する設定部をさらに具備することを特徴とする請求項１に記載の情報再生装置。
【請求項３】
停止状態であるか否かを検出する動作状態検出部をさらに具備し、
前記メニュー再生部は、前記動作状態検出部により停止状態であることが検出されたとき前記ビデオマネージャメニューを優先して再生し、停止状態以外であることが検出されたときビデオタイトルセットメニューを優先して再生することを特徴とする請求項１または２に記載の情報再生装置。
【請求項４】
再生中のドメインを検出するドメイン検出部をさらに具備し、
前記メニュー再生部は、前記ドメイン検出部によりタイトルドメインまたはビデオタイトルセットメニュードメインの再生が検出されたときビデオタイトルセットメニューの再生を優先し、それ以外はビデオマネージャメニューの再生を優先することを特徴とする請求項１または２に記載の情報再生装置。
【請求項５】
ビデオマネージャメニューの有無情報およびビデオタイトルセットメニューの有無情報が記録された情報記録媒体から記録情報を再生する方法において、
前記ビデオマネージャメニューまたは前記ビデオタイトルセットメニューを呼び出すための共通の指令を入力されたとき、前記ビデオマネージャメニューの有無情報およびビデオタイトルセットメニューの有無情報をそれぞれ検出し、有ることが検出された前記各メニューの中で予め決められたメニューを優先して再生することを特徴とする情報再生方法。
【請求項６】
前記ビデオマネージャメニューおよび前記ビデオタイトルセットメニューのうち優先して再生すべきメニューを予め設定することを特徴とする請求項５に記載の情報再生方法。
【請求項７】
停止状態であるか否かを検出し、停止状態であることが検出されたとき前記ビデオマネージャメニューを優先して再生し、停止状態以外であることが検出されたときビデオタイトルセットメニューを優先して再生することを特徴とする請求項５または６に記載の情報再生方法。
【請求項８】
再生中のドメインを検出し、タイトルドメインまたはビデオタイトルセットメニュードメインの再生が検出されたときビデオタイトルセットメニューの再生を優先し、それ以外はビデオマネージャメニューの再生を優先することを特徴とする請求項５または６に記載の情報再生方法。
【発明の詳細な説明】
【技術分野】
【０００１】
本発明は、たとえばＤＶＤ（Digital Versatile Disc）などの情報記録媒体を再生する情報再生装置と情報再生方法に係り、特に情報記録媒体に記録されたビデオマネージャメニューの有無情報およびビデオタイトルセットメニューの有無情報に基づいてこれらのメニュー再生を行うことが可能な情報再生装置と情報再生方法に関する。
【背景技術】
【０００２】
ＤＶＤディスクには、ルートメニューやタイトルメニューなどのいくつかのメニューが記録されていることがある。メニューを呼び出して再生させるための操作がユーザによって行われると、現在の動作状態から呼び出し可能なすべてのメニューの一覧が表示される。この表示されたメニューの一覧からユーザによって意図するメニューが選択されると、その選択メニューの内容が表示されるので、ここではじめてユーザは選択メニューの中の所望の項目を選択できるようになっている（たとえば特許文献１を参照）。
【特許文献１】特開２００１−３１２８８０号公報（段落００５５−００７０、図１２−１３）
【発明の開示】
【発明が解決しようとする課題】
【０００３】
上記の従来例では、ユーザが意図するメニューを呼び出すまでに、メニューの一覧の呼び出しと、その一覧でのメニューの選択の、計２回の操作が必要である。また、メニューの一覧を、個々のメニューを縮小したものによって画面に同時に表示させる場合、メニューを縮小するための機能が必要となり、それだけファームウェアの規模が大きくなる。
【０００４】
本発明は、このような事情を鑑み、一回の操作で、ビデオマネージャメニューおよびビデオタイトルセットメニューのうちあらかじめ設定されたメニューを優先して再生することができ、操作性の向上を図ることのできる情報再生装置および情報再生方法を提供することを目的としている。
【課題を解決するための手段】
【０００５】
かかる目的を達成するために、本発明の情報再生装置は、ビデオマネージャメニューの有無情報およびビデオタイトルセットメニューの有無情報が記録された情報記録媒体から記録情報を再生する情報再生装置において、ビデオマネージャメニューまたはビデオタイトルセットメニューを呼び出すための共通の指令を入力させる指令入力部と、ビデオマネージャメニューの有無情報およびビデオタイトルセットメニューの有無情報をそれぞれ検出する検出部と、指令入力部より指令が入力されたとき、検出部によって情報記録媒体に記録されていることが検出された各メニューの中で予め決められたメニューを優先して再生するメニュー再生部とを具備することを特徴とする。
【０００６】
また、本発明の情報再生装置は、ビデオマネージャメニューおよびビデオタイトルセットメニューのうち優先して再生すべきメニューを設定する設定部をさらに具備するものであってよい。
【０００７】
さらに、本発明の情報再生装置は、停止状態であるか否かを検出する動作状態検出部をさらに具備し、メニュー再生部は、動作状態検出部により停止状態であることが検出されたときビデオマネージャメニューを優先して再生し、停止状態以外であることが検出されたときビデオタイトルセットメニューを優先して再生するものとしてもよい。
【発明の効果】
【０００８】
本発明の情報再生装置および情報再生方法によれば、一回の操作で、あらかじめ設定されたメニューを優先して再生することができ、操作性の向上を図ることができる。
【発明を実施するための最良の形態】
【０００９】
以下、図面を参照して本発明の実施の形態について説明する。
【００１０】
図１は、本発明の一実施形態にかかる情報再生装置により再生処理される情報記録媒体であるＤＶＤディスクの論理構造を示している。
【００１１】
このＤＶＤディスクは、一方の片面に１ボリュームのみ記録することができる記録媒体である。映像音声情報、再生管理情報などのＤＶＤビデオコンテンツはＤａｔａＡｒｅａに記述されており、ＤａｔａＡｒｅａはさらに、ビデオマネージャ（ＶＭＧ）とビデオタイトルセット（ＶＴＳ）とに区分される。ビデオタイトルセット（ＶＴＳ）は複数記録することができ、最大数は９９である。ビデオマネージャ（ＶＭＧ）は、ビデオマネージャ（ＶＭＧ）およびボリューム中の全ビデオタイトルセット（ＶＴＳ）を制御するための情報とデータからなり、１ボリューム中に１つだけ記録可能である。ビデオタイトルセット（ＶＴＳ）は、ビデオタイトルセットマネージャ（ＶＴＳＭ）および全タイトルを制御するための情報とデータからなり、１ボリューム中に最大９９個記録することができる。
【００１２】
図２に、ビデオマネージャメニュー（ＶＭＧＭ）およびビデオタイトルセットメニュー（ＶＴＳＭ）のデータ構造をそれぞれ示す。
【００１３】
ビデオマネージャ（ＶＭＧ）には、ビデオマネージャメニュー（ＶＭＧＭ）および、そのための制御情報が記録されている。ビデオマネージャメニューのビデオオブジェクトセット（ＶＭＧＭ＿ＶＯＢＳ）はＶＭＧメニュー用のビデオオブジェクトを示すが、必須ではない。そこで再生可能なビデオオブジェクトの有無を調べるために、ビデオマネージャ情報（ＶＭＧＩ）内のビデオマネージャメニューのプログラムチェーン情報ユニット・テーブル（ＶＭＧＭ＿ＰＧＣＩ＿ＵＴ）の先頭アドレスをビデオマネージャメニューのプログラムチェーン情報ユニット・テーブル（ＶＭＧＭ＿ＰＧＧＩ＿ＵＴ）から取得し、さらにビデオマネージャメニューのプログラムチェーン情報ユニット・テーブル（ＶＭＧＭ＿ＰＧＣＩ＿ＵＴ）内のビデオマネージャメニューの有無情報（ＶＭＧＭ＿ＥＸＳＴ）１０１によって再生可能なビデオマネージャメニューのプログラムチェーン（ＶＭＧＭ＿ＰＧＣ）の有無を検出することができる。
【００１４】
また、ビデオマネージャメニュー（ＶＭＧＭ）と同様に、再生ビデオタイトルセット（ＶＴＳ）内には、ビデオタイトルセットメニュー（ＶＴＳＭ）および、そのための制御情報が記録されている。ビデオタイトルセットメニューのビデオオブジェクトセット（ＶＴＳＭ＿ＶＯＢＳ）は、ＶＴＳメニュー用のビデオオブジェクトを示すが、必須ではない。そこで再生可能なビデオオブジェクトの有無を調べるために、ビデオタイトルセット情報（ＶＴＳＩ）内のビデオタイトルセットメニューのプログラムチェーン情報ユニット・テーブル（ＶＴＳＭ＿ＰＧＣＩ＿ＵＴ）の先頭アドレスをビデオタイトルセットメニューのプログラムチェーン情報ユニット・テーブル（ＶＴＳＭ＿ＰＧＧＩ＿ＵＴ）から取得し、さらにビデオタイトルセットメニューのプログラムチェーン情報ユニット・テーブル（ＶＴＳＭ＿ＰＧＣＩ＿ＵＴ）によってビデオタイトルセットメニューの有無情報（ＶＴＳＭ＿ＥＸＳＴ）１０２を参照することによって、再生可能なビデオタイトルセットメニューのプログラムチェーン（ＶＴＳＭ＿ＰＧＣ）の有無を検出することができる。
【００１５】
図３は、本発明の一実施形態にかかる情報再生装置の構成を示すブロック図である。
【００１６】
同図に示すように、この情報再生装置は、光ディスクドライブなどのデータ読取装置１１、ＭＰＵ部１２、各種情報検出・処理部１４、音声復号器１５、映像復号器１６、副映像復号器１７、ワークメモリ１８、ビデオ処理部１９、オーディオ用Ｄ／Ａ２０、ビデオ用Ｄ／Ａ２１、外部操作検知部２２、および画面作成部２３などを備えている。
【００１７】
ＭＰＵ部１２は、各種情報検知処理部１２Ａ、優先再生設定処理部１２Ｂ、ＯＳＤ（On Screen Display）表示処理部１２Ｃ、ドメイン検知処理部１２Ｄ、動作状態検知部１２Ｅなどを備えている。
【００１８】
各種情報検知処理部１２Ａは、各種情報検出・処理部１４の情報に基づきビデオマネージャメニュー（ＶＭＧＭ）、ビデオタイトルセットメニュー（ＶＴＳＭ）の検知を行う。
【００１９】
優先再生設定処理部１２Ｂは、ビデオマネージャメニュー（ＶＭＧＭ）とビデオタイトルセットメニュー（ＶＴＳＭ）との間での再生優先度をユーザによる選択を通じて設定する。
【００２０】
ＯＳＤ表示処理部１２Ｃは、各種情報検知処理部の１２Ｂの情報に基づき、ユーザによる選択切替えが可能な要素を含む各種切替え画面を作成する画面作成部２３の制御を行う。
【００２１】
ドメイン検知処理部１２Ｄは、再生の対象となるドメインを検知する。再生の対象となるビデオオブジェクトのドメインには、ＶＭＧＭドメイン、ＶＴＳＭドメイン、タイトルドメイン、ファーストプレイドメインなどがある。より具体的には、ＶＭＧＭドメインはビデオマネージャメニューのビデオオブジェクトセット（ＶＭＧＭ＿ＶＯＢＳ）の再生、ＶＴＳＭドメインはビデオタイトルセットメニューのビデオオブジェクトセット（ＶＴＳＭ＿ＶＯＢＳ）の再生、タイトルドメインはビデオタイトルセット（ＶＴＳ＿ＴＴ＿ＶＯＢＳ）再生を対象とするものである。
【００２２】
動作状態検知部１２Ｅは情報再生装置の動作状態を検知する。
【００２３】
次に、上記説明した情報再生装置にてビデオマネージャメニュー（ＶＭＧＭ）情報、ビデオタイトルセットメニュー（ＶＴＳＭ）情報を取得する動作について説明する。
【００２４】
まず、読み取り装置１１はＭＰＵ１２の指示に従って、情報記録媒体（ＤＶＤディスク）１３上のＤａｔａＡｒｅａ中の指定された位置のデータを取得する。取得されたデータは情報検出・処理部１４によって音声、映像、副映像の属性ごとに分離され、それぞれ音声復号器１５、映像復号器１６、副映像復号器１７、もしくはワークメモリ１８に転送される。
【００２５】
ここで、図２に示されたビデオマネージャ情報（ＶＭＧＩ）やビデオタイトルセット情報（ＶＴＳＩ）などの再生管理情報は、一旦ワークメモリ１８に記録される。またＭＰＵ１２内の各種情報検知処理部１２Ａは、図２に示されたビデオマネージャメニューの有無情報（ＶＭＧＭ＿ＥＸＳＴ）１０１、ビデオタイトルセットメニューの有無情報（ＶＴＳＭ＿ＥＸＳＴ）１０２を参照し、これによってビデオマネージャメニュー（ＶＭＧＭ）情報、ビデオタイトルセットメニュー（ＶＴＳＭ）情報の有無を知ることができる。
【００２６】
またユーザはリモコンなどの外部操作装置２４を介して、ＭＰＵ１２に情報を伝達することができる。
【００２７】
次に、外部操作装置２４のメニュー呼び出し機能の実装例を説明する。
【００２８】
図４は、外部操作装置２４にＶＭＧＭ  ＰＬＡＹボタン２４、ＶＴＳＭ  ＰＬＡＹボタン２５の２個のボタンを設けておき、ユーザがビデオマネージャメニュー（ＶＭＧＭ）を呼び出す時はＶＭＧＭ  ＰＬＡＹボタン２４を、ビデオタイトルセットメニュー（ＶＴＳＭ）を呼び出す時はＶＴＳＭ  ＰＬＡＹ２５を押すようにした例である。
【００２９】
しかしこの例では、ユーザがビデオマネージャメニュー（ＶＭＧＭ）、ビデオタイトルセットメニュー（ＶＴＳＭ）の有無を知るための手段が必要となり、操作が複雑になる点が問題である。また、２つの類似した機能を持つボタンが存在することで、ユーザが混乱しやすい。
【００３０】
これに対し、図５は、本実施形態の情報再生装置に好適な外部操作装置２４のメニュー呼び出し機能の実装例を示している。この外部操作装置２４では、図４のＶＭＧＭ  ＰＬＡＹ２５とＶＴＳＭ  ＰＬＡＹ２６の２個のボタンの組み合わせに代えて、ＶＭＧＭ  ＰＬＡＹ２５と自動メニュー判定ボタン２７（以後「ＡＵＴＯ  ＭＥＮＵボタン２７」と記述）とが設けられている。
【００３１】
さらに、図６は、図４のＶＭＧＭ  ＰＬＡＹ２５とＶＴＳＭ  ＰＬＡＹ２６の２個のボタンの組み合わせに代えて、１個のＡＵＴＯ  ＭＥＮＵボタン２７だけを設けた例である。
【００３２】
次に、本実施形態の情報再生装置のメニュー画面表示の動作を説明する。
【００３３】
図７は、本実施形態の情報再生装置のメニュー画面表示の処理を示すフローチャートである。
【００３４】
ユーザにとっては、情報記録媒体（ＤＶＤディスク）１３上にビデオマネージャメニュー（ＶＭＧＭ）、ビデオタイトルセットメニュー（ＶＴＳＭ）のどちらにメニューが記録されているかは不明であるから、ユーザは、たとえば図５または図６に示す外部操作装置２４のＡＵＴＯ  ＭＥＮＵボタン２７を押すことで、表示可能なメニューの呼び出しを行う。
【００３５】
外部操作装置２４のＡＵＴＯ  ＭＥＮＵボタン２７が押されると（ステップＳ１０１）、各種情報検知処理部１２Ａが、情報記録媒体（ＤＶＤディスク）１３に記録されているビデオマネージャメニューの有無情報（ＶＭＧＭ＿ＥＸＳＴ）１０１、ビデオタイトルセットメニューの有無情報（ＶＴＳＭ＿ＥＸＳＴ）１０２をそれぞれ検出し、これら有無情報１０１、１０２の検出結果に基づいて以下の動作を行う。
【００３６】
まず、ビデオタイトルセットメニューの有無情報（ＶＴＳＭ＿ＥＸＳＴ）１０２を検出して、ビデオタイトルセットメニュー（ＶＴＳＭ）の有無を判定する（ステップＳ１０２）。ビデオタイトルセットメニュー（ＶＴＳＭ）が有る場合は、次にビデオマネージャメニューの有無情報（ＶＭＧＭ＿ＥＸＳＴ）１０１を検出して、ビデオマネージャメニュー（ＶＭＧＭ）の有無を判定する（ステップＳ１０３）。
【００３７】
この結果、ビデオマネージャメニュー（ＶＭＧＭ）がある場合は、優先再生設定処理部１２Ｂにて、あらかじめ設定されているメニュー再生優先情報、すなわちビデオマネージャメニュー（ＶＭＧＭ）とビデオタイトルセットメニュー（ＶＴＳＭ）とのどちらを優先して再生するかを示す情報を読み込み（ステップＳ１０５）、優先して再生することが設定されている一方のメニューを再生する（ステップＳ１０６、Ｓ１０７、Ｓ１０８）。
【００３８】
また、ステップＳ１０３で、ビデオマネージャメニュー（ＶＭＧＭ）が無いことが判定された場合は、ビデオタイトルセットメニュー（ＶＴＳＭ）のメニューを再生する（ステップＳ１０７）。
【００３９】
さらに、ステップＳ１０２で、ビデオタイトルセットメニュー（ＶＴＳＭ）が無いことが判定された場合は、続いて、ビデオマネージャメニューの有無情報（ＶＭＧＭ＿ＥＸＳＴ）１０１を検出して、ビデオマネージャメニュー（ＶＭＧＭ）の有無を判定する（ステップＳ１０４）。この判定の結果、ビデオマネージャメニュー（ＶＭＧＭ）が有ることが判定されれば、ビデオマネージャメニュー（ＶＭＧＭ）のメニューを再生し（ステップＳ１０８）、ビデオマネージャメニュー（ＶＭＧＭ）が無い、すなわち、ビデオマネージャメニュー（ＶＭＧＭ）もビデオタイトルセットメニュー（ＶＴＳＭ）も無いことが判定された場合には、ＡＵＴＯ  ＭＥＮＵボタン２７の操作を無効とする（ステップＳ１０９）。
【００４０】
次に、メニュー再生優先情報の設定の動作について説明する。
【００４１】
図８は、メニュー再生優先情報の設定画面の例を示す図である。
【００４２】
情報再生装置の様々な機能の初期設定を行うメニュー４０には「再生優先メニュー設定」の項目が含まれている。ユーザによって、この初期設定メニュー４０から「再生優先メニュー設定」が選択されると、「再生優先メニュー設定」の次の階層の設定メニュー４１が表示される。この設定メニュー４１には、「トップメニュー優先」と「タイトル用メニュー優先」の２つの項目からなり、このうち「トップメニュー優先」がユーザによって選択されることで、ビデオマネージャメニュー（ＶＭＧＭ）の再生を優先することが設定され、「タイトル用メニュー優先」が選択されることで、ビデオタイトルセットメニュー（ＶＴＳＭ）の再生を優先することが設定される。
【００４３】
以上説明したように、この実施形態の情報再生装置によれば、外部操作装置２４のＡＵＴＯ  ＭＥＮＵボタン２７が押すだけで、ビデオマネージャメニュー（ＶＭＧＭ）およびビデオタイトルセットメニュー（ＶＴＳＭ）のうち、あらかじめ設定されたメニューを優先して再生することができ、操作性の向上を図ることができる。
【００４４】
次に、本発明の他の実施形態を説明する。
【００４５】
上記の実施形態では、図７に示したメニュー画面表示の処理において、ビデオマネージャメニュー（ＶＭＧＭ）もビデオタイトルセットメニュー（ＶＴＳＭ）も無いことが判定された場合にはＡＵＴＯ  ＭＥＮＵボタン２７の操作を無効とするようにしたが、このように操作を無効とすることに代えて、情報記録媒体（ＤＶＤディスク）１３に記録されている各タイトルに関する情報たとえばタイトル名、アスペクト比、言語の種類、アングルの種類などの情報から、図３に示される画面作成部２３にて作成されたメニュー画面（ＯＳＤ画面）を表示するようにしてもよい。この際、画面作成部２３は、図３に示されるＯＳＤ表示処理部１２Ｃから、情報記録媒体（ＤＶＤディスク）１３に記録されている各タイトルに関する情報を取得してメニュー画面（ＯＳＤ画面）の作成を行う。
【００４６】
さらに他の実施形態として、ユーザによって設定されたメニュー再生優先情報に拠らず、情報再生装置にて、ビデオマネージャメニュー（ＶＭＧＭ）とビデオタイトルセットメニュー（ＶＴＳＭ）のいずれの再生を優先するかをファームウェアにて固定的に定めておいてもよい。
【００４７】
図９は、この実施形態の情報再生装置のメニュー画面表示の処理を示すフローチャートである。
【００４８】
外部操作装置２４のＡＵＴＯ  ＭＥＮＵボタン２７が押されると（ステップＳ２０１）、まず、ビデオタイトルセットメニューの有無情報（ＶＴＳＭ＿ＥＸＳＴ）１０２を検出して、ビデオタイトルセットメニュー（ＶＴＳＭ）の有無を判定する（ステップＳ２０２）。ビデオタイトルセットメニュー（ＶＴＳＭ）が有る場合は、ビデオタイトルセットメニュー（ＶＴＳＭ）のメニューを再生する（ステップＳ２０３）。
【００４９】
また、ステップＳ２０２で、ビデオタイトルセットメニュー（ＶＴＳＭ）が無いことが判定された場合は、続いてビデオマネージャメニューの有無情報（ＶＭＧＭ＿ＥＸＳＴ）１０１を検出して、ビデオマネージャメニュー（ＶＭＧＭ）の有無を判定する（ステップＳ２０４）。ビデオマネージャメニュー（ＶＭＧＭ）があることが判定された場合には、ビデオマネージャメニュー（ＶＭＧＭ）を再生し（ステップＳ２０５）、ビデオマネージャメニュー（ＶＭＧＭ）が無い、すなわち、ビデオマネージャメニュー（ＶＭＧＭ）もビデオタイトルセットメニュー（ＶＴＳＭ）も無いことが判定された場合には、ＡＵＴＯ  ＭＥＮＵボタン２７の操作を無効とする（ステップＳ２０６）。
【００５０】
すなわち、この実施形態では、情報記録媒体（ＤＶＤディスク）１３にビデオタイトルセットメニュー（ＶＴＳＭ）およびビデオマネージャメニュー（ＶＭＧＭ）がどちらも記録されている場合には、常にビデオタイトルセットメニュー（ＶＴＳＭ）を再生するようになっている。
【００５１】
もちろん、ビデオマネージャメニュー（ＶＭＧＭ）の再生を優先するように構成してもよい。図１０に、この場合の処理のフローチャートを示す。
【００５２】
さらに、本発明の別の実施形態として、情報再生装置の実行中の動作状態により、ビデオタイトルセットメニュー（ＶＴＳＭ）とビデオマネージャメニュー（ＶＭＧＭ）のいずれを再生するかを切り替えるようにしてもよい。
【００５３】
図１１は、この実施形態の情報再生装置のメニュー画面表示の処理を示すフローチャートである。
【００５４】
外部操作装置２４のＡＵＴＯ  ＭＥＮＵボタン２７が押されると（ステップＳ３０１）、図３に示されるＭＰＵ部１２内の動作状態検知部１２Ｅが、情報再生装置の動作状態を検知する（ステップＳ３０２）。
【００５５】
情報再生装置の動作状態が停止状態の場合は（ステップＳ３０３のＹＥＳ）、ビデオマネージャメニューの有無情報（ＶＭＧＭ＿ＥＸＳＴ）１０１を検出し、ビデオマネージャメニュー（ＶＭＧＭ）の有無を判定する（ステップＳ３０３）。ビデオマネージャメニュー（ＶＭＧＭ）が有る場合は、ビデオマネージャメニュー（ＶＭＧＭ）のメニューを再生する（ステップＳ３０４）。
【００５６】
また、ステップＳ３０３で、ビデオマネージャメニュー（ＶＭＧＭ）が無いことが判定された場合は、続いてビデオタイトルセットメニューの有無情報（ＶＴＳＭ＿ＥＸＳＴ）１０２を検出して、ビデオタイトルセットメニュー（ＶＴＳＭ）の有無を判定する（ステップＳ３０５）。ビデオタイトルセットメニュー（ＶＴＳＭ）が有ることが判定された場合は、ビデオタイトルセットメニュー（ＶＴＳＭ）のメニューを再生する（ステップＳ３０６）。また、ビデオタイトルセットメニュー（ＶＴＳＭ）が無い、すなわち、ビデオマネージャメニュー（ＶＭＧＭ）もビデオタイトルセットメニュー（ＶＴＳＭ）も無いことが判定された場合には、ＡＵＴＯ  ＭＥＮＵボタン２７の操作を無効とする（ステップＳ３０７）。
【００５７】
次に、情報再生装置の動作状態が停止状態以外の場合は、ビデオタイトルセットメニューの有無情報（ＶＴＳＭ＿ＥＸＳＴ）１０２を検出して、ビデオタイトルセットメニュー（ＶＴＳＭ）の有無を判定する（ステップＳ３０８）。ビデオタイトルセットメニュー（ＶＴＳＭ）が有ることが判定された場合は、ビデオタイトルセットメニュー（ＶＴＳＭ）のメニューを再生する（ステップＳ３０６）。ビデオタイトルセットメニュー（ＶＴＳＭ）が無い場合は、ビデオマネージャメニューの有無情報（ＶＭＧＭ＿ＥＸＳＴ）１０１を検出し、ビデオマネージャメニュー（ＶＭＧＭ）の有無を判定し（ステップＳ３０９）、ビデオマネージャメニュー（ＶＭＧＭ）が有る場合はビデオマネージャメニュー（ＶＭＧＭ）のメニューを再生する（ステップＳ３０４）。また、ビデオマネージャメニュー（ＶＭＧＭ）が無い場合、すなわち、ビデオマネージャメニュー（ＶＭＧＭ）もビデオタイトルセットメニュー（ＶＴＳＭ）も無いことが判定された場合には、ＡＵＴＯ  ＭＥＮＵボタン２７の操作を無効とする（ステップＳ３０７）。
【００５８】
以上のように、この実施形態では、停止状態であることが検出されたときはビデオマネージャメニューを優先して再生し、停止状態以外であることが検出されたときはビデオタイトルセットメニューを優先して再生することができる。
【００５９】
さらに、本発明の別の実施形態として、情報再生装置の実行中の再生対象となるドメインに応じて、ビデオタイトルセットメニュー（ＶＴＳＭ）とビデオマネージャメニュー（ＶＭＧＭ）のいずれを優先して再生するかを切り替えるようにしてもよい。
【００６０】
図１２は、この実施形態の情報再生装置のメニュー画面表示の処理を示すフローチャートである。
【００６１】
外部操作装置２４のＡＵＴＯ  ＭＥＮＵボタン２７が押されると（ステップＳ４０１）、図３に示されるＭＰＵ部１２内のドメイン検知処理部１２Ｄが、情報再生装置の再生対象となるドメインを検知する（ステップＳ４０２、Ｓ４０３）。検知されたドメインがタイトルドメインの場合（ステップＳ４０２のＹＥＳ）またはＶＴＳＭドメインの場合は（ステップＳ４０３のＹＥＳ）、ビデオタイトルセットメニュー（ＶＴＳＭ）の有無を判定し（ステップＳ４０４）、ビデオタイトルセットメニュー（ＶＴＳＭ）が有ることが判定された場合は、ビデオタイトルセットメニュー（ＶＴＳＭ）のメニューを再生する（ステップＳ４０５）。
【００６２】
検知されたドメインがタイトルドメインでもＶＴＳＭドメインでも無い場合（ステップＳ４０３のＮＯ）、または、ステップＳ４０４でビデオタイトルセットメニュー（ＶＴＳＭ）が無いことが判定された場合には、ビデオマネージャメニュー（ＶＭＧＭ）の有無を判定し（ステップＳ４０６）、ビデオマネージャメニュー（ＶＭＧＭ）が有る場合にはビデオマネージャメニュー（ＶＭＧＭ）を優先して再生し（ステップＳ４０７）、無い場合には操作を無効とする（ステップＳ４０８）。
【００６３】
なお、本発明は、上述の図示例にのみ限定されるものではなく、本発明の要旨を逸脱しない範囲内において種々変更を加え得ることは勿論である。
【００６４】
上記した実施の形態においては、情報再生装置として説明したが、情報記録再生装置にも適用することができる。
【図面の簡単な説明】
【００６５】
【図１】ＤＶＤディスクの論理構造を示す図である。
【図２】ビデオマネージャメニュー（ＶＭＧＭ）およびビデオタイトルセットメニュー（ＶＴＳＭ）のデータ構造を示す図である。
【図３】本発明の一実施形態の情報再生装置の全体構成を示すブロック図である。
【図４】図１の情報再生装置に用いられる外部操作装置のメニュー呼び出し機能の実装例を示す図である。
【図５】同じく外部操作装置のメニュー呼び出し機能の他の実装例を示す図である。
【図６】同じく外部操作装置のメニュー呼び出し機能の他の実装例を示す図である。
【図７】図１の情報再生装置のメニュー画面表示の処理を示すフローチャートである。
【図８】メニュー再生優先情報の設定画面の例を示す図である。
【図９】本発明の他の実施形態の情報再生装置のメニュー画面表示の処理を示すフローチャートである。
【図１０】本発明のさらに他の実施形態の情報再生装置のメニュー画面表示の処理を示すフローチャートである。
【図１１】本発明のさらに他の実施形態の情報再生装置のメニュー画面表示の処理を示すフローチャートである。
【図１２】本発明のさらに他の実施形態の情報再生装置のメニュー画面表示の処理を示すフローチャートである。
【符号の説明】
【００６６】
１０…情報再生装置、１１…データ読み取り装置、１２…ＭＰＵ部、１２Ａ…各種情報検知処理部、１２Ｂ…優先再生設定処理部、１２Ｃ…ＯＳＤ表示データ作成部、１２Ｄ…ドメイン検知処理部、１２Ｅ…動作状態検知部、１３…情報記録媒体（ＤＶＤディスク）、１４…各種情報検出・処理部、１５…音声復号器、１６…映像復号器、１７…副映像復号器、１８…ワークメモリ、１９…ビデオ処理部、２０…オーディオ用Ｄ／Ａ、２１…ビデオ用Ｄ／Ａ、２２…外部操作検知部、２３…画面作成部、２４…外部操作装置、２５…ＶＭＧＭ  ＰＬＡＹボタン、２６…ＶＴＳＭ  ＰＬＡＹボタン、２７…ＡＵＴＯ  ＭＥＮＵボタン、１０１…ビデオマネージャメニューの有無情報（ＶＭＧＭ＿ＥＸＳＴ）、１０２…ビデオタイトルセットメニューの有無情報（ＶＴＳＭ＿ＥＸＳＴ）。
【図１】
2005317135.tif 000003
【図２】
2005317135.tif 000004
【図３】
2005317135.tif 000005
【図４】
2005317135.tif 000006
【図５】
2005317135.tif 000007
【図６】
2005317135.tif 000008
【図７】
2005317135.tif 000009
【図８】
2005317135.tif 000010
【図９】
2005317135.tif 000011
【図１０】
2005317135.tif 000012
【図１１】
2005317135.tif 000013
【図１２】
2005317135.tif 000014